(57)【要約】【課題】単票用紙の下端部に原稿幅方向の屈曲を不用意に生じさせることなく単票用紙を屈曲させてコシを持たせ、印刷対象となる単票用紙に比べて上下方向の長さを大幅に短縮しても単票用紙の後方への垂れ下がりが生じない用紙保持プレートを提供する。【解決手段】下端部から上端部に向けて相互間の離間距離が漸減するガイド面２３ａを有する一対の用紙屈曲ガイド２３，２３を用紙保持プレート本体２２における用紙保持面２２ａの上端部に設け、単票用紙２７の用紙幅方向の屈曲を用紙２７の下部側から上部側に向けて無理なく徐々に強くすることで、単票用紙２７の下部側を用紙の取り込みに適した平坦な状態に維持し、かつ、単票用紙２７の上部側の見かけ上のコシを強くして単票用紙２７の後方への垂れ下がりを防止する。【選択図】図１
2011042446.tif 000002
【特許請求の範囲】
【請求項１】
印刷機能を有する装置の用紙搬送路の端部に連絡して複数の単票用紙を傾斜状態でスタックする用紙保持プレートであって、
印刷対象となる単票用紙の用紙搬送方向の全長よりも上下方向の長さを短く形成された用紙保持プレート本体における用紙保持面の上端部に、印刷対象となる単票用紙の全幅と同等の間隔を置いて、その下端部から上端部に向けて相互間の離間距離が漸減するガイド面を有する一対の用紙屈曲ガイドを設けたことを特徴とする用紙保持プレート。
【請求項２】
前記用紙屈曲ガイドが、その底辺を前記用紙保持面上に位置させた三角形状の舌片によって前記用紙保持プレート本体と一体に構成されていることを特徴とする請求項１記載の用紙保持プレート。
【請求項３】
前記用紙屈曲ガイドが、前記用紙保持プレート本体の上端部左右の角部を形成する三角形状の舌片によって構成され、この舌片が、前記用紙保持プレート本体と同一平面上に位置する状態と前記用紙保持プレート本体の用紙保持面から突出する状態との間で揺動可能とされていることを特徴とする請求項１記載の用紙保持プレート。
【請求項４】
前記舌片に代え、前記用紙保持プレート本体の上端部左右の角部を形成するように三角形状に屈曲された針金によって前記用紙屈曲ガイドが構成されていることを特徴とする請求項３記載の用紙保持プレート。
【請求項５】
前記用紙保持プレート本体の上端部の全幅に亘って、下に凸となる円弧状の切欠部が形成されていることを特徴とする請求項１，請求項２，請求項３または請求項４のうち何れか一項に記載の用紙保持プレート。
【請求項６】
請求項１，請求項２，請求項３または請求項４のうち何れか一項に記載の用紙保持プレートを用紙搬送路における用紙導入側の端部に備えた印刷機能を有する装置であって、
前記用紙搬送路における用紙導入側の端部に、前記用紙保持プレートから取り込まれる単票用紙を其の全幅に亘り用紙搬送方向に対して角度を成す方向に屈曲させる姿勢強制部材を設けたことを特徴とする印刷機能を有する装置。
【発明の詳細な説明】
【技術分野】
【０００１】
本発明は、ファクシミリ装置，プリンタ，複写機等の印刷機能を有する装置に用いられる用紙保持プレートの改良および此の用紙保持プレートを備えた印刷機能を有する装置に関する。
【背景技術】
【０００２】
印刷機能を有する装置の用紙搬送路の端部に連絡して複数の単票用紙を傾斜状態でスタックする用紙保持プレートが既に公知である。
【０００３】
この種の用紙保持プレートは、当初、印刷対象となる単票用紙の全面に匹敵する大きさのものが利用されていたが、装置のコンパクト化の要求に応え、その小型化、特に、上下方向の長さの短縮が進んでいる。
【０００４】
例えば、特許文献１では、原稿トレイの上端部に原稿湾曲手段を設けて単票用紙を原稿幅方向に屈曲させることにより単票用紙にコシを持たせ、原稿トレイから食み出した単票用紙が不用意に後方に垂れ下がるのを防止することで、単票用紙の全長よりも上下方向の長さを短縮した原稿トレイを利用できるようにしたものが提案されている。
しかし、この原稿湾曲手段は原稿トレイの上端部に併設された高さの異なる複数のリブもしくは原稿トレイ全体を幅方向に渡って凹状に形成することで単票用紙を原稿幅方向に均等に屈曲させる構成であるため、単票用紙の下端部にも原稿幅方向の屈曲が生じる恐れがあり、単票用紙の下端部に原稿幅方向の屈曲が生じてしまうと、この原稿トレイを給紙用の原稿トレイとして利用した場合に単票用紙の取り込みに支障が生じる可能性がある。
【０００５】
また、特許文献２では、単票用紙を原稿幅方向に屈曲させて単票用紙にコシを持たせることによって単票用紙の垂れ下がりを防止するとした技術思想に加え、給紙トレイを揺動可能な構成として、その非使用時に給紙口のカバーとして利用する点が記載されている。
特許文献２の図３からすると、給紙トレイに対して摺動自在に取り付けられたサブトレイの上端部の左右に前述の原稿湾曲手段に相当する一対のリブが固設されているものと見られるが、この左右一対のリブも、前述した特許文献１記載のものと同様、単票用紙の搬送方向に沿って平行に設けられたものに過ぎず、単票用紙の下端部に原稿幅方向の屈曲が生じる恐れは免れない。
特許文献２では給紙トレイからサブトレイを引き出した状態で概ね単票用紙の全長に亘って単票用紙が給紙トレイおよびサブトレイによって支えられる構成であるから、これらのリブは、原稿を屈曲させるための手段というよりも、単票用紙を給紙トレイの中央部にセンタリングするための手段として利用されているものと考えるのが妥当であろう。
【０００６】
単票用紙を原稿幅方向に屈曲させて単票用紙にコシを持たせることによって単票用紙の垂れ下がりを防止するとした技術思想は特許文献３の段落０００５にも開示されている。
特許文献３の段落００２０では、給紙カセットの前方支持部で用紙が平坦に支持される旨の記載が認められるが、給紙カセットの前方支持部で用紙を平坦とするための構成に関しては特に開示されていない。特許文献３の図１に示される通り、特許文献３の供給シート給送装置が単票用紙を水平状態から僅かに傾けた状態で保持するものであることから考えて、給紙カセットの前方支持部で単票用紙が平坦となるのは単票用紙の自重によるものと考えるのが妥当であろう。
従って、この供給シート給送装置を直立に近い状態に傾斜させて使用した場合、単票用紙の自重による平坦化の作用は期待できず、前述した特許文献１−２のものと同様、単票用紙の下端部に原稿幅方向の屈曲が生じ、単票用紙の取り込みに支障が生じるといった可能性が高い。
【０００７】
特許文献４では、前述の原稿湾曲手段と同等の機能を有する反り曲げ手段について記載され、更に、その段落００１５および図３では給紙トレー本体の上端部に切欠部を形成して反り曲げ手段とする点が開示されている。
しかし、この切欠部は、単票用紙の幅に比べて円弧状の切欠部の幅が非常に狭く、切欠部の左右の縁が点接触の状態で単票用紙の裏面に接触することになるので、単票用紙の反り曲げ状態が一義的に定まらず、過剰に反り曲げられたり或いは平坦なままで支えられたりする不都合がある。反り曲げが過剰であれば単票用紙の取り込みに支障が生じ、また、反り曲げが過小であれば単票用紙が後方に垂れ下がってしまう。
【先行技術文献】
【特許文献】
【０００８】
【特許文献１】実開昭６２−１９７６３０号公報（第３図，第６図）
【特許文献２】特開２００７−８６５１号公報（段落００１３，００２３，図３）
【特許文献３】特開平６−２９３４３９号公報（段落０００５，００２０，図１）
【特許文献４】特開平７−２５４８２号公報（段落００１５，図３）
【発明の概要】
【発明が解決しようとする課題】
【０００９】
本発明の目的は、単票用紙の下端部に原稿幅方向の屈曲を不用意に生じさせることなく単票用紙を屈曲させてコシを持たせ、印刷対象となる単票用紙に比べて上下方向の長さを大幅に短縮しても単票用紙の後方への垂れ下がりが生じない用紙保持プレートおよび此の用紙保持プレートを備えた印刷機能を有する装置を提供することにある。
【課題を解決するための手段】
【００１０】
本発明の用紙保持プレートは、印刷機能を有する装置の用紙搬送路の端部に連絡して複数の単票用紙を傾斜状態でスタックする用紙保持プレートであり、前記目的を達成するために、特に、
印刷対象となる単票用紙の用紙搬送方向の全長よりも上下方向の長さを短く形成された用紙保持プレート本体における用紙保持面の上端部に、印刷対象となる単票用紙の全幅と同等の間隔を置いて、その下端部から上端部に向けて相互間の離間距離が漸減するガイド面を有する一対の用紙屈曲ガイドを設けたことを特徴とする構成を有する。
【００１１】
また、本発明の印刷機能を有する装置は、前記用紙保持プレートを用紙搬送路における用紙導入側の端部に備えた印刷機能を有する装置であり、更に、
前記用紙搬送路における用紙導入側の端部に、前記用紙保持プレートから取り込まれる単票用紙を其の全幅に亘り用紙搬送方向に対して角度を成す方向に屈曲させる姿勢強制部材を設けたことを特徴とする構成を有する。
【発明の効果】
【００１２】
本発明の用紙保持プレートは、下端部から上端部に向けて相互間の離間距離が漸減するガイド面を有する一対の用紙屈曲ガイドを用紙保持プレート本体における用紙保持面の上端部に設け、この用紙屈曲ガイドによって単票用紙の幅方向の両端部を支える構成としたので、単票用紙の用紙幅方向の屈曲を用紙の下部側から上部側に向けて無理なく徐々に強くすることができるため、単票用紙の下部側を用紙の取り込みに適した平坦な状態に維持する一方、単票用紙の上部側の見かけ上のコシを強くして単票用紙の後方への垂れ下がりを確実に防止することができる。
特に、単票用紙の上部側の屈曲を強くすることができることから、用紙保持プレート本体の高さを印刷対象となる単票用紙の用紙搬送方向の全長よりも大幅に短縮し、例えば、１／２以下とすることが可能となった。
また、この用紙保持プレートを用紙搬送路における用紙排出側の端部に取り付けた場合にあっては、用紙搬送路から送り出される単票用紙の先端が、その移動に伴い、下端部から上端部に向けて相互間の離間距離を漸減させる一対の用紙屈曲ガイドのガイド面によって徐々に屈曲を強めていくので、単票用紙の搬送方向に沿って単純に平行に設けられたリブ状の原稿湾曲手段に比べ、単票用紙の搬出動作を妨げることなく単票用紙の屈曲を一層強くすることができ、用紙保持プレート本体の高さの短縮が容易に実現できる。
【００１３】
更に、本発明の用紙保持プレートを用紙搬送路における用紙導入側の端部に備えた印刷機能を有する装置にあっては、用紙搬送路における用紙導入側の端部に、単票用紙を其の全幅に亘り用紙搬送方向に対して角度を成す方向に屈曲させる姿勢強制部材を設けることにより、単票用紙の取り込みに際し、用紙保持プレートにスタックされていた単票用紙の屈曲方向と直交する向きに単票用紙を一旦屈曲させるようにしているので、仮に、用紙保持プレートにスタックされている間に単票用紙に屈曲癖がついてしまった場合であっても、この屈曲癖を強制的に正して単票用紙の下端部を平坦にして、単票用紙を適切に取り込むことができる。
【図面の簡単な説明】
【００１４】
【図１】本発明を適用した一実施形態の用紙保持プレートと、此の用紙保持プレートを用紙搬送路における用紙導入側の端部に備えたファクシミリ装置（印刷機能を有する装置）の一実施形態について外観を示した斜視図である。
【図２】同実施形態のファクシミリ装置の構成について簡略化して示した透視図である。
【図３】用紙屈曲ガイドの取り付け構造を例示した部分拡大図であり、図３（ａ）は用紙屈曲ガイドを倒して用紙保持プレート本体と同一平面上に用紙屈曲ガイドを位置させた状態を示した図、図３（ｂ）は用紙屈曲ガイドを引き起こして用紙保持プレート本体の用紙保持面から突出させた状態を示した図である。
【図４】三角形状に屈曲された針金によって構成した用紙屈曲ガイドの取り付け構造を例示した斜視図である。
【図５】用紙保持プレートを取り付けたファクシミリ装置の用紙導入側の端部の周辺構造について簡略化して示した側面図である。
【図６】ファクシミリ装置に取り付けられた用紙保持プレートに単票用紙を傾斜状態でスタックした状況について示した斜視図である。
【図７】単票用紙をスタックした用紙保持プレートを用紙保持プレート本体の面に沿ってファクシミリ装置の上方から示した図である。
【図８】単票用紙をスタックした用紙保持プレートをファクシミリ装置と共に示した正面図である。
【図９】用紙保持プレート本体の上端部の全幅に亘って下に凸となる円弧状の切欠部を形成した用紙保持プレートの一実施形態について示した斜視図である。
【発明を実施するための形態】
【００１５】
次に、本発明を実施するための形態について具体例を挙げ、図面を参照して詳細に説明する。
【００１６】
図１は本発明を適用した一実施形態の用紙保持プレートと、此の用紙保持プレートを用紙搬送路における用紙導入側の端部に備えたファクシミリ装置の一実施形態について外観を示した斜視図、また、図２は同実施形態のファクシミリ装置の構成について簡略化して示した透視図である。
【００１７】
ここでは、印刷機能を有する装置の一例としてファクシミリ装置を取り挙げているが、印刷機能を有する装置は、プリンタや複写機等であっても構わない。
【００１８】
図２に示される通り、このファクシミリ装置１の主要部は、送信用画像処理部２と受信用画像処理部３によって構成される。
【００１９】
送信用画像処理部２は、ファクス送信する原稿を処理するための部分である。
【００２０】
送信用画像処理部２の原稿挿入口４から挿入された単票用紙の原稿は、操作部５に実装された図示しない開始ボタンを押すことにより、給紙ローラ６およびフィードローラ７の回転を受けて１枚ずつ搬送され、その過程で読取デバイス８を介して原稿上の画像や文字が読み取られ、画像や文字の読み取りを終えた原稿が原稿排出口９から排出される。
【００２１】
読取デバイス８を介して読み取られた画像や文字はデジタルデータに変換され、ファクシミリ装置１の内部に設けられたメモリに一時記憶され、最終的に、このデータが図示しない電話回線等を介して送信先のファクシミリ装置等に宛てて送信される。
【００２２】
受信用画像処理部３は、電話回線等を介して他のファクシミリ装置等から受信したデータを画像や文字に変換し、単票用紙に印刷出力するための部分である。
【００２３】
他のファクシミリ装置等からのデータ受信が確認されると、受信用画像処理部３の給紙ローラ１０，プラテンローラ１１，排出ローラ１２が回転し、用紙保持プレート１３上にスタックされている未使用の単票用紙が１枚ずつ用紙搬送路１４に取り込まれ、用紙搬送路１４に沿って搬送される。その過程で、受信データから変換された画像や文字が印刷デバイス１５によって搬送中の単票用紙に印刷され、印刷を終えた単票用紙が用紙排出口１６から排出される。
【００２４】
この実施形態にあっては熱転写式の印刷デバイス１５を用いているので、印刷と同時にインクフィルム１７の巻き取りが行われる。なお、図２中の符号１８がフィルム供給ドラム、符号１９がフィルム回収ドラムである。
【００２５】
ファクシミリ装置１の基本構成については既に公知であるから各部の詳細な説明は省略する。
【００２６】
用紙保持プレート１３は複数の単票用紙を傾斜状態でスタックするためのものであり、この実施形態にあっては、図１および図２に示される通り、ファクシミリ装置１の受信用画像処理部３側に設けられた用紙搬送路１４における用紙導入側の端部２０に、ヒンジ２１，２１を介して用紙保持プレート１３が揺動自在に取り付けられている。
【００２７】
図１および図２では単票用紙をスタックするために用紙保持プレート１３を開いて立ち上げた状態について示しているが、この用紙保持プレート１３は、単票用紙を取り除いて図２中の反時計方向に揺動させて図２中の符号１３’の閉鎖位置に移動させることにより、用紙導入側の端部２０を塞ぐ防塵カバーとしても機能する。
【００２８】
用紙保持プレート１３は、図１に示されるように、印刷対象となる単票用紙の用紙搬送方向の全長よりも上下方向の長さを短く形成された略矩形状の用紙保持プレート本体２２と、用紙保持プレート本体２２における用紙保持面２２ａの上端部に設けられた一対の用紙屈曲ガイド２３，２３によって構成されている。
【００２９】
用紙屈曲ガイド２３，２３の各々は、印刷対象となる単票用紙の全幅と同等の間隔を置いて用紙保持面２２ａの上端部に設けられ、その下端部から上端部に向けて相互間の離間距離を漸減させるガイド面２３ａ，２３ａを有する。
【００３０】
この実施形態の用紙屈曲ガイド２３，２３は、図１に示される通り、用紙保持プレート本体２２の上端部左右の角部を形成する三角形状の舌片によって構成されている。
【００３１】
用紙屈曲ガイド２３を構成する三角形状の舌片は、例えば、用紙保持プレート本体２２と同質の合成樹脂等からなり、図３（ａ）および図３（ｂ）に示されるように、回転支軸２４を介して用紙保持プレート本体２２に対して揺動可能に取り付けられている。
【００３２】
図３（ａ）は用紙屈曲ガイド２３を倒して用紙保持プレート本体２２と同一平面上に位置させた状態（格納位置）を示したもので、この状態で用紙保持プレート本体２２および用紙屈曲ガイド２３，２３からなる用紙保持プレート１３の全体的な正面形状が完全な矩形となる。つまり、用紙屈曲ガイド２３，２３の形状は、用紙保持プレート本体２２の上端部の左右の切欠部分を補完する直角三角形、もしくは、直角三角形の角を丸めた形状である。
【００３３】
図３（ｂ）は用紙屈曲ガイド２３を引き起こして用紙保持プレート本体２２の用紙保持面２２ａから突出させた状態（使用位置）を示したもので、この状態が図１や図２の状態に相当する。
【００３４】
用紙屈曲ガイド２３は、直角三角形の底辺に相当する部分を軸として用紙保持プレート本体２２に対して揺動可能であり、図３（ａ）に示した格納位置と図３（ｂ）に示した使用位置の各々でクリックストップがかかるようになっている。揺動部材を所定位置に位置決め保持するクリックストップ機構の構成それ自体に関しては既に様々なものが公知であるので、ここでは特に説明しない。
【００３５】
用紙屈曲ガイド２３，２３は、図４に示すように、三角形状に屈曲された針金によって構成してもよいし、更には、その底辺を用紙保持面２２ａ上に位置させた三角形状の舌片を用紙保持プレート本体２２と一体に成形した構成としてもよく、コスト削減の観点からは一体成形が有利である。
【００３６】
三角形状に屈曲された針金によって用紙屈曲ガイド２３，２３を構成した場合には、用紙保持プレート本体２２の上端部両側に形成された突条２２ｂの上下の端部に用紙屈曲ガイド２３を構成する針金の折り返し部の先端を突入させる構成とすることで、用紙屈曲ガイド２３を用紙保持プレート本体２２に対して揺動可能とすることができる。
既に述べた通り、用紙保持プレート１３は用紙導入側の端部２０を塞ぐ防塵カバーとしても機能するので、用紙保持プレート１３を閉じた際に用紙屈曲ガイド２３，２３がファクシミリ装置１の内部構造と干渉しないように、用紙屈曲ガイド２３，２３は揺動自在な折り畳み構造とすることが望ましい。
また、用紙屈曲ガイド２３，２３を揺動自在な折り畳み構造とすることによってファクシミリ装置１の内部の構造体と用紙屈曲ガイド２３，２３との干渉が解消されるので、用紙屈曲ガイド２３，２３を大きく形成することが容易となるといったメリットもある。
【００３７】
図５はファクシミリ装置１の用紙搬送路１４における用紙導入側の端部２０の周辺構造について簡略化して示した側面図である。
【００３８】
用紙保持プレート１３の下端部に連絡する用紙導入側の端部２０には、前述した給紙ローラ１０に下方から臨むようにして用紙先端導入プレート２５が固設され、更に、給紙ローラ１０の上流側に僅かに距離をおき、用紙先端導入プレート２５との間に僅かに間隙を空けて、その上方の位置に姿勢強制部材２６が固設されている。
【００３９】
用紙先端導入プレート２５は、用紙搬送路１４の全幅に亘って設置された板状の部材である。また、姿勢強制部材２６は用紙搬送路１４の幅方向の全幅に亘って配置された断面外形楔形の部材であり、用紙保持プレート１３から取り込まれる単票用紙２７の下端部をガイドして用紙先端導入プレート２５に接近させることにより、単票用紙２７を其の全幅に亘って用紙搬送方向に対し角度を成す方向に屈曲させ、単票用紙２７に図５に示されるような屈曲部２７’を形成させる。姿勢強制部材２６は合成樹脂や屈曲させた針金等で構成することができる。
なお、１つの姿勢強制部材２６を用紙搬送路１４の幅方向の全幅に亘って配置する代わりに、２分割した姿勢強制部材２６を用紙搬送路１４の幅方向の両側に配置し、用紙保持プレート１３から取り込まれる単票用紙２７の用紙幅方向の両端下端部をガイドして用紙先端導入プレート２５に接近させることによって単票用紙２７の全幅に亘る屈曲部２７’を形成させることも可能である。
【００４０】
図６はファクシミリ装置１に取り付けられた用紙保持プレート１３に単票用紙２７を傾斜状態でスタックした状況について示した斜視図、図７は単票用紙２７をスタックした用紙保持プレート１３を用紙保持プレート本体２２の面に沿ってファクシミリ装置１の上方から示した図、図８は単票用紙２７をスタックした用紙保持プレート１３をファクシミリ装置１と共に示した正面図である。
【００４１】
用紙保持プレート１３にスタックされた単票用紙２７はガイド面２３ａ，２３ａを有する一対の用紙屈曲ガイド２３，２３によって用紙幅方向の両端部を裏面側から支えられる結果、図６あるいは図５に示されるように、単票用紙２７の裏面側に凸となる用紙幅方向の屈曲が形成される。
【００４２】
この屈曲は、図７に示されるように、下端部から上端部に向けて相互間の離間距離が漸減する左右の用紙屈曲ガイド２３，２３のガイド面２３ａ，２３ａと用紙保持プレート本体２２における用紙保持面２２ａの中央部に倣って形成されるものであるから、図６に示されるとおり、単票用紙２７の下部側から上部側に向けて徐々に屈曲を強くするかたちで形成されることになる。
【００４３】
この結果、図６および図８に示されるように、単票用紙２７の下部側では用紙の取り込みに適した平坦な状態が維持される一方、単票用紙２７の上部側にいくに従って曲率半径が小さくなる屈曲によって、特に、用紙屈曲ガイド２３，２３よりも上方の部分における見かけ上のコシが強くなり、用紙保持プレート１３から上方に突出する単票用紙２７の部分を図８に示されるように確実に支えて単票用紙２７の後方への垂れ下がりを防止することができるようになる。
【００４４】
用紙保持プレート１３の高さは単票用紙２７の全長の半分以下でよく、実際には、単票用紙２７の全長の１／３程度の高さの用紙保持プレート１３によって単票用紙２７を保持することが可能であり、用紙保持プレート１３の高さの短縮によってファクシミリ装置１自体の大幅な小型化も実現され得る。
【００４５】
単票用紙２７に形成される屈曲の形状は、用紙保持プレート本体２２の上端部に設けられる用紙屈曲ガイド２３，２３の左右の離間距離（単票用紙２７の用紙幅に準じた距離）と、用紙保持プレート本体２２の用紙保持面２２ａを基準とする用紙屈曲ガイド２３，２３の突出量Ｈ（図７参照）と、用紙保持プレート１３の高さ（用紙保持プレート本体２２の下端部を基準とした用紙屈曲ガイド２３，２３の配設位置の高さ）、および、下端部から上端部に向けて相互間の離間距離が漸減する左右の用紙屈曲ガイド２３，２３のガイド面２３ａ，２３ａの離間距離の変化率（図８に示される破線参照）によって決まるので、これらの値は、印刷対象となる単票用紙２７の大きさや縦横比および其の紙質等に合わせて適切なものを選択し、用紙保持プレート１３から上方に突出する単票用紙２７の後方への垂れ下がりが、屈曲によって与えられるコシの強さで確実に防止されるように設計する必要がある。
【００４６】
用紙屈曲ガイド２３，２３は用紙保持プレート１３の上端部に設ける前提であり、用紙保持プレート１３の高さを短縮すれば用紙保持プレート本体２２の下端部を基準とする用紙屈曲ガイド２３，２３の配設位置の高さも必然的に低くなるが、単票用紙２７の下端部を平坦な状態に維持するためには、用紙保持プレート本体２２の下端部を基準として、用紙屈曲ガイド２３，２３の配設位置を或る程度の高さ以上に維持し、単票用紙２７の屈曲が其の下端部にまで及ばないようにする必要がある。
従って、仮に、単票用紙２７の後方への垂れ下がりの防止自体は可能であっても、単票用紙２７の下端部に屈曲が及んでは元も子もなくなるので、用紙保持プレート１３の高さを極端に短くすることには意味がないし、その必要もない。
【００４７】
用紙保持プレート１３にスタックされた単票用紙２７は、図５に示されるように、ファクシミリ装置１における用紙導入側の端部２０を介して受信用画像処理部３の用紙搬送路１４に取り込まれることになるが、この際、先ず用紙搬送路１４における用紙導入側の端部２０に設けられた用紙先端導入プレート２５に単票用紙２７の下端部が接触する。
そして、更に、姿勢強制部材２６が単票用紙２７の下端部をガイドして用紙先端導入プレート２５に単票用紙２７の下端部を接近させることによって、単票用紙２７を其の全幅に亘って用紙搬送方向に対し角度を成す方向に強制的に屈曲し、単票用紙２７に屈曲部２７’を形成させる。
【００４８】
この屈曲部２７’は単票用紙２７の用紙幅方向の全幅に亘って均一である。また、この屈曲は用紙保持プレート１３の用紙屈曲ガイド２３，２３が与える屈曲の屈曲方向を含む平面（図７の平面）および用紙保持プレート本体２２の面に対して共に直交する平面（図５の平面）内で与えられる屈曲であるから、屈曲部２７’を境として其の上流側と下流側の一定区間では、仮に、単票用紙２７に図７に破線で示されるような巻き癖がついていたとしても、その巻き癖が強制的に解消されることになる。
つまり、単票用紙２７は二次曲面に沿って屈曲することは可能であるが、三次曲面に沿って屈曲することは皺を生じない限り困難であり、用紙先端導入プレート２５と姿勢強制部材２６の干渉作用によって単票用紙２７が沿う１つの二次曲面が単票用紙２７上に形成される結果、これとは方向性の異なる屈曲すなわち用紙屈曲ガイド２３，２３によって与えられていた交差方向の巻き癖が解消されるということである。
【００４９】
従って、単票用紙２７に図７中の破線で示されるような巻き癖がついていたとしても、その巻き癖は姿勢強制部材２６を境として其の上流側と下流側の単票用紙２７の一定区間で自動的に解消され、平坦化された単票用紙２７の下端部は、単票用紙２７の取り込み過程で詰まったり過大な摩擦抵抗を受けたりすることなく容易に給紙ローラ１０と接触して用紙搬送路１４に沿って取り込まれることが可能となる。
【００５０】
姿勢強制部材は、特に、用紙保持プレート１３を用紙搬送路における用紙導入側の端部２０に設置した際に単票用紙２７の巻き癖を解消して取り込みを確実にするためのもので、印刷処理の行なわれた単票用紙２７を回収して用紙保持プレート１３に回収するような構成にあっては必ずしも必要ではない。
用紙保持プレート１３を用紙搬送路における用紙排出側の端部に取り付けた場合にあっては、用紙保持プレート１３にスタックして回収した単票用紙２７を再び用紙搬送路に取り込む必要はなく、単票用紙２７の下端部に多少の屈曲が生じても問題とはならないからである。
用紙保持プレート１３を用紙搬送路における用紙排出側の端部に取り付けた場合であっても、その作用効果は前記と同様である。用紙搬送路から送り出される単票用紙２７の先端が、その移動に伴い、下端部から上端部に向けて相互間の離間距離を漸減させる一対の用紙屈曲ガイド２３，２３のガイド面２３ａ，２３ａによって徐々に屈曲を強めていくので、単票用紙２７の搬出動作を妨げることなく単票用紙２７の屈曲を強くすることができる。このため、用紙保持プレート１３の高さを短縮しても単票用紙２７の後方への垂れ下がりを防止することができる。
【００５１】
図９は用紙保持プレート本体２２の上端部の全幅に亘って下に凸となる円弧状の切欠部を形成した用紙保持プレート１３の一実施形態について示した斜視図である。
【００５２】
このように、用紙保持プレート本体２２の上端部の全幅に亘って下に凸となる円弧状の切欠部を形成することにより、用紙保持プレート本体２２の用紙保持面２２ａ上にスタックされる単票用紙２７の中央部を用紙保持プレート本体２２の面よりも後方に逃がすことができる。
従って、用紙屈曲ガイド２３，２３を用紙保持面２２ａから前方に大きく突出させなくても図７に示される突出量Ｈに相当する値を大きくすることができ、最終的には、単票用紙２７に形成される屈曲の曲率を強くすることができる。下に凸となる円弧状の切欠部の縁部２８は、完全な円弧とするよりも、単票用紙２７に形成すべき曲面に沿う形とすることが望ましい。
【００５３】
このような構成を適用した場合、用紙屈曲ガイド２３，２３のみで単票用紙２７を屈曲させる構成と比較して用紙屈曲ガイド２３，２３の突出量を相対的に削減することが可能であるので、用紙保持プレート１３を閉じて防塵カバーとして使用する際にファクシミリ装置１の内部に突入する突起物の突出量を減少させることができる。
従って、ファクシミリ装置１の内部構造の設計に際して用紙屈曲ガイド２３，２３との干渉を考慮する必要性は軽減され、設計の自由度が向上する。
【産業上の利用可能性】
【００５４】
本発明は、ファクシミリ装置，プリンタ，複写機等を始め、印刷機能を有する装置一般に適用が可能である。
【符号の説明】
【００５５】
１  ファクシミリ装置（印刷機能を有する装置の一例）
２  送信用画像処理部
３  受信用画像処理部
４  原稿挿入口
５  操作部
６  給紙ローラ
７  フィードローラ
８  読取デバイス
９  原稿排出口
１０  給紙ローラ
１１  プラテンローラ
１２  排出ローラ
１３  用紙保持プレート
１３’  用紙保持プレートの閉鎖位置
１４  用紙搬送路
１５  印刷デバイス
１６  用紙排出口
１７  インクフィルム
１８  フィルム供給ドラム
１９  フィルム回収ドラム
２０  用紙導入側の端部
２１  ヒンジ
２２  用紙保持プレート本体
２２ａ  用紙保持面
２２ｂ  突条
２３  用紙屈曲ガイド
２３ａ  ガイド面
２４  回転支軸
２５  用紙先端導入プレート
２６  姿勢強制部材
２７  単票用紙
２７’  屈曲部
２８  円弧状の切欠部の縁部
【図１】
2011042446.tif 000003
【図２】
2011042446.tif 000004
【図３】
2011042446.tif 000005
【図４】
2011042446.tif 000006
【図５】
2011042446.tif 000007
【図６】
2011042446.tif 000008
【図７】
2011042446.tif 000009
【図８】
2011042446.tif 000010
【図９】
2011042446.tif 000011